(57)【要約】【課題】ローコストに製造可能であり、かつ耐屈曲特性（耐摺動特性）を高めたフレキシブルプリント配線板を提供する。【解決手段】フラット配線部Ｓ２は、全体が屈曲自在に形成されている。フレキシブルプリント配線板２０の幅方向Ｗを例えば３分割する２つの位置において、長さ方向Ｌに延びるスリット（切込み線）２７が形成されている。スリット２７によって、フラット配線部Ｓ２は、多数本の導電層２２，２２…のうち所定の本数の導電層２２，２２…ごとに分割した、複数の分割配線部Ｓ２１，Ｓ２２，Ｓ２３が形成される。さらに、フラット配線部Ｓ２は、その幅方向ｗ１がコネクタ部Ｓ１の幅方向ｗ２に対して所定の角度θ１で傾斜して延びる傾斜配線部Ｄ１と、この傾斜配線部Ｄ１の両端でこの傾斜配線部Ｄ１とコネクタ部Ｓ１とを繋ぐ捻り部Ｄ２とからなる。【選択図】図１
2010040929.tif 000002
【特許請求の範囲】
【請求項１】
回路を有する複数の筐体が相対移動可能に係合され、これら筐体の回路どうしをフレキシブルプリント配線板で電気的に接続してなる電子機器であって、
前記フレキシブルプリント配線板は、所定の幅と長さをもつ帯状の屈曲自在なフレキシブル基板、および該フレキシブル基板の長さ方向に沿って細長く延び、かつ幅方向に沿って互いに所定の間隔を空けて並列させた多数本の導電層を少なくとも備えたフラット配線部と、該フラット配線部の両端にそれぞれ形成され、前記回路と電気的に接続される平板状のコネクタ部とからなり、
前記フラット配線部は、前記フレキシブル基板の長さ方向に沿って前記フレキシブル基板に形成したスリットによって、前記多数本の導電層のうち所定の本数の導電層ごとに分割した、複数の分割配線部からなり、
前記分割配線部は、その幅方向が前記コネクタ部の幅方向に対して所定の角度で傾斜して延びる傾斜配線部と、該傾斜配線部の両端でこの傾斜配線部と前記コネクタ部とを繋ぐ捻り部とからなることを特徴とする電子機器。
【請求項２】
前記傾斜配線部は、その幅方向が前記コネクタ部の幅方向に対して略直角を成すことを特徴とする請求項１に記載の電子機器。
【請求項３】
複数の前記傾斜配線部を束ねて厚み方向に積層させる結束手段を更に備えたことを特徴とする請求項１または２に記載の電子機器。
【請求項４】
前記傾斜配線部を前記筐体の移動面に沿って屈曲させて配置したことを特徴とする請求項１ないし３いずれか１項に記載の電子機器。
【請求項５】
前記傾斜配線部を前記筐体の移動面に沿ってＵ字型を成すように屈曲させて配置したことを特徴とする請求項４項に記載の電子機器。
【請求項６】
前記複数の筐体は、第１の筐体と、該第１の筐体に対してスライド可能に取り付けられた第２の筐体とからなることを特徴とする請求項１ないし５いずれか１項に記載の電子機器。
【請求項７】
所定の幅と長さをもつ帯状の屈曲自在なフレキシブル基板、および該フレキシブル基板の長さ方向に沿って細長く延び、かつ幅方向に沿って互いに所定の間隔を空けて並列させた多数本の導電層を少なくとも備えたフラット配線部と、該フラット配線部の両端にそれぞれ形成された平板状のコネクタ部とを少なくとも備えたフレキシブルプリント配線板であって、
前記フラット配線部は、前記フレキシブル基板の長さ方向に沿って前記フレキシブル基板に形成したスリットによって、前記多数本の導電層のうち所定の本数の導電層ごとに分割した、複数の分割配線部からなり、
前記分割配線部は、その幅方向が前記コネクタ部の幅方向に対して所定の角度で傾斜して延びる傾斜配線部と、該傾斜配線部の両端でこの傾斜配線部と前記コネクタ部とを繋ぐ捻り部とからなることを特徴とするフレキシブルプリント配線板。
【発明の詳細な説明】
【技術分野】
【０００１】
本発明は、回路を有する複数の筐体が相対移動可能に取り付けられ、これらの筐体内の回路どうしをフレキシブルプリント配線板によって電気的に接続してなる電子機器、および該電子機器の筐体間配線に用いるフレキシブルプリント配線板に関する。
【背景技術】
【０００２】
近年、携帯電話に代表される電子機器の小型・軽量化、多機能化が急速に進展している。こうした携帯電話の内部配線材としてフレキシブルプリント配線板（以下、ＦＰＣと称する）が用いられている。
【０００３】
携帯電話は、通話時の利便性と不使用時（待受時）の携帯性とを両立させるため、例えば、表示画面を備えた第一の筐体と、操作ボタンを備えた第二の筐体から構成し、これら２つの筐体を互いに屈曲、回転、スライドなどが可能なように係合させたものが主流である。そして、こうした複数の筐体間を電気的に接続（配線）するために、フレキシブルプリント配線板が好適に用いられている。
【０００４】
こうした携帯電話のうち、最近、２つの筐体を互いに平行にスライドさせるタイプの携帯電話が利用されつつある。スライドタイプの携帯電話では、スライド前後で筐体の全長が大きく変化するため、２つの筐体間を配線する際には、筐体の厚み方向にフレキシブルプリント配線板をほぼ１８０°近くＵ字型に屈曲させて収容し、スライド前後での筐体の全長変化に対応する余長を確保している。
【０００５】
しかしながら、フレキシブルプリント配線板を筐体の厚み方向にほぼ１８０°近くＵ字型に屈曲させて、筐体のスライド操作のたびに屈曲部分の移動（摺動）を繰り返すと、例えば銅箔などから形成されたフレキシブルプリント配線板の導電層が疲労によって破断、あるいは剥離し、導通不良を引き起こす懸念があった。特に、近年の携帯電話の薄型化の進行により、フレキシブルプリント配線板の屈曲部分の曲げ半径がますます小さくなり、フレキシブルプリント配線板に過大な曲げ応力が集中することが懸念されていた。
【０００６】
こうしたフレキシブルプリント配線板の耐屈曲特性（耐摺動特性）を向上させるために、例えば、特許文献１には、導電層を特定の結晶構造を持つ銅箔によって形成したフレキシブルプリント配線板が記載されている。
また、例えば、特許文献２には、導電層を高純度銅箔によって形成したフレキシブルプリント配線板が記載されている。
【特許文献１】特開２０００−１５１０５２号公報
【特許文献２】特開２００１−１６８４８０号公報
【発明の開示】
【発明が解決しようとする課題】
【０００７】
しかしながら、上述した特許文献１や特許文献２に記載されたフレキシブルプリント配線板は、いずれも、導電層を特定の結晶構造を持つ銅箔や高純度銅箔などを用いるため、導電層の形成材料が高価であり、また、フレキシブル基板上に導電層を形成するにあたって特殊な成膜工程が必要となるなど、製造コストが増加するという課題があった。
【０００８】
本発明は、上記事情に鑑みてなされたもので、互いに移動可能に係合された複数の筐体を、摺動、屈曲、回転などの操作を繰り返しても、フレキシブルプリント配線板の導通不良を引き起こすことがない電子機器を提供することを目的とする。
【０００９】
また、本発明は、ローコストに製造可能であり、かつ耐屈曲特性（耐摺動特性）を高めたフレキシブルプリント配線板を提供することを目的とする。
【課題を解決するための手段】
【００１０】
本発明の請求項１に記載の電子機器は、回路を有する複数の筐体が相対移動可能に係合され、これら筐体の回路どうしをフレキシブルプリント配線板で電気的に接続してなる電子機器であって、前記フレキシブルプリント配線板は、所定の幅と長さをもつ帯状の屈曲自在なフレキシブル基板、および該フレキシブル基板の長さ方向に沿って細長く延び、かつ幅方向に沿って互いに所定の間隔を空けて並列させた多数本の導電層を少なくとも備えたフラット配線部と、該フラット配線部の両端にそれぞれ形成され、前記回路と電気的に接続される平板状のコネクタ部とからなり、前記フラット配線部は、前記フレキシブル基板の長さ方向に沿って前記フレキシブル基板に形成したスリットによって、前記多数本の導電層のうち所定の本数の導電層ごとに分割した、複数の分割配線部からなり、前記分割配線部は、その幅方向が前記コネクタ部の幅方向に対して所定の角度で傾斜して延びる傾斜配線部と、該傾斜配線部の両端でこの傾斜配線部と前記コネクタ部とを繋ぐ捻り部とからなることを特徴とする。
本発明の請求項２に記載の電子機器は、請求項１において、前記傾斜配線部は、その幅方向が前記コネクタ部の幅方向に対して略直角を成すことを特徴とする。
本発明の請求項３に記載の電子機器は、請求項１または２において、複数の前記傾斜配線部を束ねて厚み方向に積層させる結束手段を更に備えたことを特徴とする。
本発明の請求項４に記載の電子機器は、請求項１ないし３いずれか１項において、前記傾斜配線部を前記筐体の移動面に沿って屈曲させて配置したことを特徴とする。
本発明の請求項５に記載の電子機器は、請求項４において、前記傾斜配線部を前記筐体の移動面に沿ってＵ字型を成すように屈曲させて配置したことを特徴とする。
本発明の請求項６に記載の電子機器は、請求項１ないし５いずれか１項において、前記複数の筐体は、第１の筐体と、該第１の筐体に対してスライド可能に取り付けられた第２の筐体とからなることを特徴とする。
本発明の請求項７に記載のフレキシブルプリント配線板は、所定の幅と長さをもつ帯状の屈曲自在なフレキシブル基板、および該フレキシブル基板の長さ方向に沿って細長く延び、かつ幅方向に沿って互いに所定の間隔を空けて並列させた多数本の導電層を少なくとも備えたフラット配線部と、該フラット配線部の両端にそれぞれ形成された平板状のコネクタ部とを少なくとも備えたフレキシブルプリント配線板であって、前記フラット配線部は、前記フレキシブル基板の長さ方向に沿って前記フレキシブル基板に形成したスリットによって、前記多数本の導電層のうち所定の本数の導電層ごとに分割した、複数の分割配線部からなり、前記分割配線部は、その幅方向が前記コネクタ部の幅方向に対して所定の角度で傾斜して延びる傾斜配線部と、該傾斜配線部の両端でこの傾斜配線部と前記コネクタ部とを繋ぐ捻り部とからなることを特徴とする。
【発明の効果】
【００１１】
本発明のフレキシブルプリント配線板によればコネクタ部の幅方向に対して、例えば直角に捻られた分割配線部を、電子機器の移動面に沿ってＵ字型に屈曲させる、即ち、分割配線部の幅方向を電子機器の厚み方向と合致するように屈曲させて配線する事が可能になる。
【００１２】
また、本発明の電子機器によれば、分割配線部の幅方向を電子機器の厚み方向と合致するように屈曲させることによって、フレキシブルプリント配線板を最小屈曲半径を電子機器の幅方向いっぱいに広げて配線することができる。
【００１３】
これにより、電子機器の薄型化が進んだとしても、電子機器の厚みよりも寸法が相当に広い幅方向に沿ってフレキシブルプリント配線板屈曲させることができるので、反復屈曲による導電層の破断、断線を確実に防止できる。長期間に渡ってフレキシブルプリント配線板の良好な導電性を維持することが可能になる。
【００１４】
さらに、フレキシブルプリント配線板を用いた本発明の電子機器は、薄型化に際してフレキシブルプリント配線板の最小屈曲半径を考慮する必要が無い、即ち、フレキシブルプリント配線板の最小屈曲半径は電子機器の幅方向に依存するので、電子機器のより一層の薄型化に寄与する。
【発明を実施するための最良の形態】
【００１５】
以下、本発明に係るフレキシブルプリント配線板の一実施形態を図面に基づいて説明する。なお、本発明はこのような実施形態に限定されるものではない。また、以下の説明で用いる図面は、本発明の特徴をわかりやすくするために、便宜上、要部となる部分を拡大して示している場合があり、各構成要素の寸法比率などが実際と同じであるとは限らない。
【００１６】
図１は、例えば携帯電話（電子機器）の配線に用いられる、本発明のフレキシブルプリント配線板を示す外観斜視図である。また、図２は、フレキシブルプリント配線板を俯瞰した平面図であり、図３は、フレキシブルプリント配線板の層構成を示す断面図である。なお、図２はフレキシブルプリント配線板の幅方向を拡大しており、図３は厚み方向を拡大して示している。
【００１７】
本発明のフレキシブルプリント配線板２０は、例えば、絶縁性の柔軟な（屈曲自在な）樹脂フィルム等からなるフレキシブル基板２１と、このフレキシブル基板２１の一面に形成された、多数の細長い導電層２２，２２…とを備えている。フレキシブル基板２１は、所定の幅と長さをもつ薄い帯状（リボン状）に形成されていれば良い。なお、本発明でいう幅方向Ｗとは、この帯状のフレキシブル基板２１、ないしフレキシブルプリント配線板２０の短辺方向を表すものとし、同様に長さ方向Ｌとは、長辺方向を表すものとする。
【００１８】
導電層２２，２２…は、それぞれがフレキシブル基板２１の一面に、長さ方向Ｌに沿って細長く延びるように形成されている。こうした導電層２２，２２…は、幅方向Ｗに沿って互いに所定の間隔を空けて多数本、並列して形成されている。導電層２２，２２…は、導電性に優れた金属、例えば、銅薄膜、銀薄膜、アルミニウム薄膜などから構成されていればよい。
【００１９】
図３に示すように、一面に導電層２２が形成されたフレキシブル基板２１を厚み方向Ｔ１で挟むように絶縁性の保護層２３，２４が形成されている。また、この保護層２３に重ねて電磁遮蔽用の磁気シールド層２５を更に形成するのが好ましい。
【００２０】
図１、図２に示すように、フレキシブルプリント配線板２０は、その長さ方向Ｌにおいて、フラット配線部Ｓ２と、このフラット配線部Ｓ２の両端にそれぞれ形成されたコネクタ部Ｓ１とからなる。このうち、コネクタ部Ｓ１は、保護層２３および磁気シールド層２５を形成せずに導電層２２，２２…を露呈させた領域（部分）であり、このコネクタ部Ｓ１においては、保護層２４に重ねて、更に補強層２６が形成されているのが好ましい（図３参照）。
【００２１】
こうしたコネクタ部Ｓ１は、例えば、携帯電話（電子機器）の第一の回路と第二の回路との間の電気的な接続に用いる。このコネクタ部Ｓ１においては、露呈した導電層２２，２２…の周面を覆うように、更に、金メッキや銀メッキが施されているのが好ましい。
【００２２】
フラット配線部Ｓ２は、全体が屈曲自在に形成されている。そして、フレキシブルプリント配線板２０の幅方向Ｗを例えば３分割する２つの位置において、長さ方向Ｌに延びるスリット（切込み線）２７が形成されている。このスリット２７は、フレキシブルプリント配線板２０のフラット配線部Ｓ２において、磁気シールド層２５から保護層２４までを貫いて切断されている。
【００２３】
このようなスリット２７によって、フラット配線部Ｓ２は、多数本の導電層２２，２２…のうち所定の本数の導電層２２，２２…ごとに分割した、複数の分割配線部Ｓ２１，Ｓ２２，Ｓ２３が形成される。２本のスリット２７によって区画された分割配線部Ｓ２１，Ｓ２２，Ｓ２３は、それぞれ隣接する分割配線部に対して一定の範囲で揺動可能となる。
【００２４】
さらに、フラット配線部Ｓ２は、その幅方向ｗ１がコネクタ部Ｓ１の幅方向ｗ２に対して所定の角度θ１で傾斜して延びる傾斜配線部Ｄ１と、この傾斜配線部Ｄ１の両端でこの傾斜配線部Ｄ１とコネクタ部Ｓ１とを繋ぐ捻り部Ｄ２とからなる。傾斜配線部Ｄ１の幅方向ｗ１と、コネクタ部Ｓ１の幅方向ｗ２との成す角度θ１は、例えば略直角（約９０°）であればよい。
【００２５】
また、分割配線部Ｓ２１，Ｓ２２，Ｓ２３のそれぞれの捻り部Ｄ２は、コネクタ部Ｓ１と傾斜配線部Ｄ１との間で幅方向が約９０°回転する（幅方向を水平から垂直にする）までフラット配線部Ｓ２を捻って形成した部位である。
【００２６】
このような構成のフレキシブルプリント配線板１０は、コネクタ部Ｓ１の幅方向ｗ２に対して、フラット配線部Ｓ２の傾斜配線部Ｄ１は、その幅方向が角度θ１、例えば直角を成して長さ方向Ｌに延びる形状であるため、例えば、スライド式の携帯電話において、２つの筐体の移動面に沿ってこの傾斜配線部Ｄ１をＵ字型に屈曲させる、即ち、傾斜配線部Ｄ１の幅方向ｗ１を携帯電話の厚み方向と合致するように屈曲させて配線する事が可能になる。なお、こうした分割配線部と傾斜配線部を備えたフレキシブルプリント配線板を電子機器（携帯電話）に用いた際の作用は後ほど述べる。
【００２７】
図４は、電子機器の配線に用いられる、本発明のフレキシブルプリント配線板の別な実施形態を示す外観斜視図である。また、図５は、図４のフレキシブルプリント配線板を俯瞰した平面図である。なお、この図５はフレキシブルプリント配線板の幅方向を拡大して表示している。
この実施形態におけるフレキシブルプリント配線板４０は、長さ方向Ｌにおいて、フラット配線部Ｓ４と、このフラット配線部Ｓ４の両端にそれぞれ形成されたコネクタ部Ｓ３とからなり、コネクタ部Ｓ３では、導電層４２，４２…が露呈される。
【００２８】
フラット配線部Ｓ４は、フレキシブルプリント配線板４０の幅方向Ｗを、例えば３分割する２つの位置において、長さ方向Ｌに延びるスリット（切込み線）４７が形成され、このスリット４７によって、フレキシブルプリント配線板４０のフラット配線部Ｓ４は、多数本の導電層４２，４２…のうち所定の本数の導電層４２，４２…ごとに分割した、複数の分割配線部Ｓ４１，Ｓ４２，Ｓ４３が形成される。
【００２９】
さらに、フラット配線部Ｓ５は、その幅方向ｗ３がコネクタ部Ｓ３の幅方向ｗ４に対して所定の角度θ２で傾斜して延びる傾斜配線部Ｄ３と、この傾斜配線部Ｄ３の両端でこの傾斜配線部Ｄ３とコネクタ部Ｓ３とを繋ぐ捻り部Ｄ４とからなる。傾斜配線部Ｄ３の幅方向ｗ３と、コネクタ部Ｓ３の幅方向ｗ４との成す角度θ２は、例えば略直角（約９０°）であればよい。
【００３０】
また、分割配線部Ｓ４１，Ｓ４２，Ｓ４３のそれぞれの捻り部Ｄ４は、コネクタ部Ｓ３と傾斜配線部Ｄ３との間で幅方向が９０°回転する（幅方向を水平から垂直にする）までフラット配線部Ｓ４を捻って形成した部位である。
【００３１】
そして、このフレキシブルプリント配線板４０には、分割配線部Ｓ４１，Ｓ４２，Ｓ４３を束ねて、厚み方向Ｔ２に沿って積層させる結束手段４９が形成されている。こうした結束手段４９によって、分割配線部Ｓ４１，Ｓ４２，Ｓ４３が一体とされ、断面矩形の極めてコンパクトな外形形状の結束配線部４８が形成される。結束手段４９は、例えば、絶縁性の硬質樹脂部材、あるいはゴムなどの軟質樹脂部材によって、分割配線部Ｓ４１，Ｓ４２，Ｓ４３を纏めて係合させるものであればよい。
【００３２】
また、こうした結束手段４９は、本実施形態では、分割配線部Ｓ４１，Ｓ４２，Ｓ４３の両端付近に形成しているが、分割配線部Ｓ４１，Ｓ４２，Ｓ４３の長さに応じて、分割配線部Ｓ４１，Ｓ４２，Ｓ４３がそれぞれ個別に揺動、分離しない程度に、適切な数だけ形成されていればよい。
【００３３】
次に、図４、５に示したフレキシブルプリント配線板を備えた、本発明の電子機器の一実施形態について説明する。図６（ａ）は、本発明の電子機器の一例であるスライドタイプの携帯電話の携帯時（待受時）の状態を示す外観斜視図であり、図６（ｂ）は、その通話時（操作時）の状態を示す外観斜視図である。
携帯電話（電子機器）１０は、第一の筐体１１と、第二の筐体１２とをからなる。この第一の筐体１１と、第二の筐体１２とは、互いに重ねて配され、第二の筐体１２は、第一の筐体１１の移動面１１ａに沿って所定の範囲でスライド（摺動）可能に、第一の筐体１１と係合されている。
【００３４】
第一の筐体１１には、例えば、操作ボタン１３が配されている。また、第二の筐体１２には、例えば、液晶ディスプレイ（ＬＣＤ）１４が配されている。こうした携帯電話１０は、携帯時（待受時）には、その外形を小さくして携帯性を高めるために、第一の筐体１１と第二の筐体１２の外形が合致する位置にスライドされ、操作ボタン１３が隠蔽される（図６（ａ）参照）。また、通話時（操作時）には、操作ボタン１３が露呈される位置まで第二の筐体１２を第一の筐体１１に対してスライドさせる（図６（ｂ）参照）。
【００３５】
図７は、図６に示す携帯電話のフレキシブルプリント配線板による配線の様子を示す説明図である。スライドタイプの携帯電話１０の第一の筐体１１に形成された第一の回路６３と、第二の筐体１２に形成された第二の回路６４は、それぞれのコネクタの形成位置が、携帯電話１０の幅方向ＷＢにおいてズレた位置、即ち一直線上に並ばない位置に形成されている。
【００３６】
そして、これら第一の回路６３と第二の回路６４との間を配線するフレキシブルプリント配線板４０は、コネクタ部Ｓ３の幅方向ｗ４に対して、その幅方向が例えば直角に捻られた結束配線部４８を、携帯電話１０の移動面１０ａに沿ってＵ字型に屈曲させる、即ち、結束配線部４８の幅方向を携帯電話の厚み方向と合致するように屈曲させて配線する事が可能になる。
【００３７】
このように、結束配線部４８の幅方向を携帯電話の厚み方向と合致するように屈曲させることによって、フレキシブルプリント配線板４０を最小屈曲半径ｒを携帯電話１０の幅方向ＷＢいっぱいに広げて配線することができる。
【００３８】
従来のスライドタイプの携帯電話の配線に用いるフレキシブルプリント配線板は、携帯電話の厚み方向に沿ってＵ字型に屈曲させていたため、最小屈曲半径を携帯電話の厚みの半分以下にする必要があった。しかし、本発明のフレキシブルプリント配線板４０を用いる事によって、携帯電話の薄型化が進んだとしても、携帯電話の厚みよりも寸法が相当に広い幅方向ＷＢに沿って屈曲させることができるので、反復屈曲による導電層４２，４２…の破断、断線を確実に防止できる。長期間に渡ってフレキシブルプリント配線板４０の良好な導電性を維持することが可能になる。
【００３９】
さらに、フレキシブルプリント配線板４０を用いた本発明の電子機器（携帯電話）は、薄型化に際してフレキシブルプリント配線板４０の最小屈曲半径を考慮する必要が無い、即ち、本発明のフレキシブルプリント配線板４０の最小屈曲半径は携帯電話１０の幅方向ＷＢに依存するので、携帯電話（電子機器）１０のより一層の薄型化に寄与する。
【００４０】
なお、上述した実施形態では、電子機器として携帯電話を例示したが、もちろん、これ以外にも、各種情報端末や携帯電子機器などにも適用できる。また、筐体は２つである必要はなく、３つ以上の筐体からなる電子機器の配線にも、本発明のフレキシブルプリント配線板を適用することができる。複数の筐体どうしの係合形態も、上述した実施形態のようにスライド可能な係合以外にも、回転、屈曲あるいはこれらの組み合わせによる係合形態であってもよい。
【００４１】
フレキシブルプリント配線板のフラット配線部は、上述した実施形態のように、２本のスリットによって３つの分割配線部に区画されたものに限定される事はなく、１本のスリットによって２つの分割配線部に区画することや、３本以上のスリットを形成して４つ以上の分割配線部に区画したものであってもよい。
【実施例】
【００４２】
本発明の効果を検証した実施例を以下に示す。本発明例として図４、図５に示すような、フラット配線部に設けた２本のスリットによって３つの分割配線部を形成し、更にこの３つの分割配線部を結束手段によって結束した結束配線部を有するフレキシブルプリント配線板を本発明例とした。また、比較例として、こうしたスリットを設けずに均一な幅で延びる従来のフレキシブルプリント配線板を比較例とした。
【００４３】
本発明例と比較例との共通の仕様は以下の通りである。
１．導電層の形成ピッチ：０．３ｍｍ、
２．導電層の並列数：１２本（本発明では、これを４本ごとにスリットを形成し、４本の導電層をもつ分割配線部を３つ形成）
３．配線版の全長：１００ｍｍ
４．コネクタ部の長さ：３ｍｍ
５．コネクタ部の補強板長さ：５ｍｍ
６．各導電層の幅：０．２ｍｍ
７．各導電層の厚み：０．０１８ｍｍ
８．フレキシブル基板：ポリイミドフィルム（厚み１３ｎｍ）＋接着剤
９．保護層：ポリイミドフィルム（厚み１３ｎｍ）＋接着剤
１０．磁気シールド層：銀ペースト＋カーボンコート（厚み１０ｎｍ）
【００４４】
以上の構成の本発明例と比較例のフレキシブルプリント配線板を用いて、繰り返し屈曲動作を行い、耐屈曲性を検証した。
検証方法は、ＩＰＣ法に準拠し、ストローク２５ｍｍ，スピード５００回／分として、それぞれのサンプル数を１０個について調べた。これらの検証結果（平均値）を表１に示す。
【００４５】
【表１】
2010040929.tif 000003
【００４６】
表１に示す結果によれば、本発明例のフレキシブルプリント配線板は、従来の比較例のフレキシブルプリント配線板と比較して、屈曲配線スペースが３ｍｍで約７倍の耐屈曲性能があることが判明した。本発明のフレキシブルプリント配線板の顕著な耐屈曲性効果が確認された。
【図面の簡単な説明】
【００４７】
【図１】本発明のフレキシブルプリント配線板の一例を示す斜視図である。
【図２】本発明のフレキシブルプリント配線板の一例を示す平面図である。
【図３】本発明のフレキシブルプリント配線板の一例を示す断面図である。
【図４】本発明のフレキシブルプリント配線板の別な一例を示す斜視図である。
【図５】本発明のフレキシブルプリント配線板の別な一例を示す平面図である。
【図６】本発明の電子機器（携帯電話）の一例を示す斜視図である。。
【図７】本発明の電子機器（携帯電話）の配線状態を示す説明図である。
【符号の説明】
【００４８】
１０  電子機器（携帯電話）、１１，１２  筐体、２０  フレキシブルプリント配線板、２２  導電層、２７  スリット、４８  結束配線部、４９  結束手段、Ｓ１  フラット配線部、Ｓ２  コネクタ部、Ｓ２１，Ｓ２２，Ｓ２３  分割配線部、Ｄ１  傾斜配線部、Ｄ２  捻り部。
【図１】
2010040929.tif 000004
【図２】
2010040929.tif 000005
【図３】
2010040929.tif 000006
【図４】
2010040929.tif 000007
【図５】
2010040929.tif 000008
【図６】
2010040929.tif 000009
【図７】
2010040929.tif 000010